(57)【要約】【課題】より使い勝手の良い尿はね防止装置を提供すること。【解決手段】尿はね防止装置１は、第１の液体１０２と第１の液体１０２と反応して泡を生成することが可能な第２の液体１０３と、を、便器Ｂ内に供給して便器内の水を覆うように泡を生成する。【選択図】図１
2019138450.tif 000002
【特許請求の範囲】
【請求項１】
第１の液体と
前記第１の液体と反応して泡を生成することが可能な第２の液体と、
を、便器内に供給して便器内の水を覆うように泡を生成する、
尿はね防止装置。
【請求項２】
前記第１の液体は少なくとも重曹を含み、
前記第２の液体は少なくともクエン酸を含んでいる
請求項１に記載の尿はね防止装置。
【請求項３】
前記第２の液体は、界面活性剤も含んでいる
請求項２に記載の尿はね防止装置。
【請求項４】
前記第１の液体が封入された容器と、前記第２の液体が封入された容器は、尿はね防止装置に対して取り外して交換可能な
請求項１〜３のいずれか１項に記載の尿はね防止装置。
【請求項５】
前記第１の液体と前記第２の液体の流出・停止は同時に制御されている
請求項１〜４いずれか１項に記載の尿はね防止装置。
【請求項６】
前記第１の液体又は前記第２の液体のいずれかを少なくとも含んだ液を輸送するための管路からの液体を便器内の所定の位置に向かって放出するための
固定具を有する
請求項１〜５いずれか１項に記載の尿はね防止装置。
【請求項７】
前記固定具は、便器のふちの上面に固定され、
前記固定具の上面の形状は、便器のふちの上面から滑らかに隆起し滑らかに降下する形状である
請求項６に記載の尿はね防止装置。
【請求項８】
便器の上面に固定され、液体を便器内の所定の位置に向かって放出するための固定具であって、
前記固定具は、上面の形状が便器のふちの上面から滑らかに隆起し滑らかに降下する形状を有している
便器への液体搬送用固定具。
【請求項９】
少なくとも、液体を提供することによって、
便器内の水の表面側を覆う泡を形成することによって尿はねを防止する、
尿はね防止装置。
【発明の詳細な説明】
【技術分野】
【０００１】
本発明は、便器からの尿はねを防止する装置、及び、便器への液体輸送用固定具に関する。
【背景技術】
【０００２】
特許文献１には尿飛散防止具の技術が開示されている。
【先行技術文献】
【特許文献】
【０００３】
【特許文献１】特開２０１５―５２２５７号公報
【発明の概要】
【発明が解決しようとする課題】
【０００４】
しかしながら、特許文献１に記載の方法においては、使い勝手が悪いとの不利益がある。【０００５】
本発明は、より使い勝手の良い尿はね防止装置を提供することである。
【課題を解決するための手段】
【０００６】
本発明の第１の観点における尿はね防止装置は、第１の液体と前記第１の液体と反応して泡を生成することが可能な第２の液体と、を、便器内に供給して便器内の水を覆うように泡を生成する。【０００７】
好適には、前記第１の液体は少なくとも重曹を含み、前記第２の液体は少なくともクエン酸を含んでいる。【０００８】
好適には、前記第２の液体は、界面活性剤も含んでいる。【０００９】
好適には、前記第１の液体が封入された容器と、前記第２の液体が封入された容器は、尿はね防止装置に対して取り外して交換可能である。【００１０】
好適には、前記第１の液体と前記第２の液体の流出・停止は同時に制御されている。【００１１】
好適には、前記第１の液体又は前記第２の液体のいずれかを少なくとも含んだ液を輸送するための管路からの液体を便器内の所定の位置に向かって放出するための固定具を有する。【００１２】
好適には、前記固定具は、便器のふちの上面に固定され、前記固定具の上面の形状は、便器のふちの上面から滑らかに隆起し滑らかに降下する形状である。【００１３】
本発明の第１の観点における便器への液体搬送用固定具は、便器の上面に固定され、液体を便器内の所定の位置に向かって放出するための固定具であって、前記固定具は、上面の形状が便器のふちの上面から滑らかに隆起し滑らかに降下する形状を有している。【００１４】
本発明の第２の観点における尿はね防止装置は、少なくとも、液体を提供することによって、便器内の水の表面側を覆う泡を形成することによって尿はねを防止する。
【発明の効果】
【００１５】
本発明における尿はね防止装置等によってより使い勝手の良い尿はね防止装置を提供することが可能となった。
【図面の簡単な説明】
【００１６】
【図１】本発明の第１の実施形態に係る尿はね防止装置の説明図である。
【図２】尿はね防止装置の配置等の説明図である。
【図３】装置本体と無線子機との位置関係等の説明図である。
【図４】液体搬送用固定具の説明図である。
【図５】尿はね防止装置１の変形例の説明図である。
【図６】第１の液体と第２の液体との混ぜ方の他の実施形態である。
【図７】液体中の重曹、クエン酸の割合の実験結果である。
【図８】界面活性剤の割合の実験結果である。
【発明を実施するための形態】
【００１７】
＜第１の実施形態＞
図１は、本発明の第１の実施形態に係る尿はね防止装置１の説明図である。
【００１８】
尿はね防止装置１は、装置本体１９と、液体搬送用固定具２５とを有している。
装置本体１９と、液体搬送用固定具２５とは、固定具側第１液体搬送管２３と、固定具側第２液体搬送管２４とで連結されている。
液体搬送用固定具２５は、固定具側第１液体搬送管２３と、固定具側第２液体搬送管２４を貫通状態で通過させている。
そして、液体搬送用固定具２５は、固定具側第１液体搬送管２３と、固定具側第２液体搬送管２４からの各液体を便器Ｂ内の所定の方向（位置）に放出する役割を有している。
つまり、液体搬送用固定具２５は方向及び位置の固定具である。
【００１９】
装置本体１９は、第１の液体１０２用の第１液体容器２、第２の液体１０３用の第２液体容器３を有している。
第１液体容器２は第１容器アタッチメント１１を有し、第２液体容器３は第２容器アタッチメント１２を有している。
第１容器アタッチメント１１は、第１液体容器２が取り換可能なように作られている。
同様に、第２容器アタッチメント１２は、第２液体容器３が取り換可能なように作られている。
第１容器アタッチメント１１から、容器側第１液体搬送管１３が伸びている。
同様に、第２容器アタッチメント１２から、容器側第２液体搬送管１４が伸びている。
【００２０】
容器側第１液体搬送管１３と固定具側第１液体搬送管２３との間に、弁１５が配置されている。
同様に、容器側第２液体搬送管１４と固定具側第２液体搬送管２４との間に、弁１５が配置されている。
この弁１５は、開・閉・開閉度・開閉時間等が制御部１６によって制御されている。
この実施形態では、弁１５は、１つの弁で第１の液体１０２と第２の液体１０３を同時に制御可能である。
もっとも、別途、別の弁１５をそれぞれ設けることも当然に可能である。
【００２１】
第１液体容器２と第２液体容器３は、内容する液がなくなった際等に取り外して新しい各容器をチャージ可能に形成されている。
この際に、第１液体容器２と第２液体容器３とを一緒にして同一のタイミングでチャージ可能にしたパッケージ４化することがより適切である。
なお、第１容器アタッチメント１１と第２容器アタッチメント１２の形状や、パッケージ４の形状、パッケージ４を収納する部分の形状などを特別な形状にして、第１液体容器２と第２液体容器３が逆に取り付けることを防ぐことがより適切である。パッケージ４として、同一の動作で第１液体容器２と第２液体容器３を交換できるようにしたこともこれに寄与している。
このように交換可能としたことによって、ユーザが容易にメンテナンスすることが可能となる。
【００２２】
制御部１６は、無線で無線子機１７と交信可能に形成されている。また、この制御部１６と弁１５とで弁制御部１８が形成される。
無線子機１７は、人の検知又はドアの開閉等を検知して、その情報を制御部１６に無線で通知する。
それに応じて、制御部１６は、弁１５を所定時間開放した後、弁１５を閉鎖する。
この間に第１の液体１０２と第２の液体１０３とが、便器Ｂ内の所定の位置に向かって放出されることになる。
なお、弁制御部１８による開放は、利用者が無線子機１７または制御部１６へのボタン等を押すことに基づいても良い。その他、どのようなものであっても良い。
【００２３】
このように形成したことによって、利用者が実際に尿をするまでに、泡を形成しておくことが可能となる。
【００２４】
第１の液体１０２は、少なくとも重曹を含む液体である。
第２の液体１０３は、少なくともクエン酸を含む液体である。更に、第２の液体１０３には、界面活性剤が含まれていると好適である。
なお、第２の液体１０３に界面活性剤は必須ではなく、別途、容器などを用意して便器Ｂ内に送り出すことも可能である。
ここで、第２の液体１０３に界面活性剤を入れる理由は、容器の節約等の装置の簡素化が主な理由である。
ただ、界面活性剤は、第１の液体には入れることができない。その理由は、重曹と界面活性剤が反応してしまうからである。
【００２５】
重曹とクエン酸が混ざると、気体が発生するこれが泡のできる仕組みである。
また、その状態において、界面活性剤が存在するとこの泡が長持ちすることになる。
【００２６】
このような泡が便器Ｂの水の表面を覆っていると、男性等が立った状態で尿をしても、尿はねを低減することができる。
また、尿放出時には跳ねが無くても、フラッシュ時に便器Ｂ内の水を流す際に飛び散ることも低減できる。
また、装置本体１９には、図示しないが、電源用オン・オフボタンが配置されている。
さらになお、手動でも尿はね防止装置１の駆動ができることも言うまでもない。
【００２７】
図２は、尿はね防止装置１の配置等の説明図である。
【００２８】
図２のように、尿はね防止装置１の液体搬送用固定具２５は、便器の上面に固定される。この図では、便器Ｂの奥の中央に固定されているが、これ以外の場所に固定されていても良い。
また、装置本体１９は、便座の横部分などに固定されている。もちろん、これ以外の部分に設置することも可能である。
装置本体１９と液体搬送用固定具２５との間は、固定具側第１液体搬送管２３と、固定具側第２液体搬送管２４とでつながっている。
【００２９】
図３は、装置本体１９と無線子機１７との位置関係等の説明図である。
【００３０】
図３のように、ドアＤ側の所定の位置や、ユーザの手の届く位置に無線子機１７が固定されている。
そして、ユーザｍが入室したことや、ドアＤが開いたことなどを検出して、尿はね防止装置１は泡を作成する。
【００３１】
図４は、液体搬送用固定具２５の説明図である。
【００３２】
図４のように、液体搬送用固定具２５は、下面は平坦になっている。この部分に両面テープ等の粘着物で、便器Ｂの上面に固定される。
他方、上面は、便器Ｂの上面と滑らかに変化する形状に作られている。
これは、便座上は、尿などが付着することから、その尿などをふき取った際に残らないようにしている。これは、見た目のきれいさのみならず、実際上の衛生上極めて大きな意味を持つ。逆に、もし、なめらかな形状をしていなければ、その部分に残留物がのこり衛生を極めて害する。
なお、液体搬送用固定具２５の形状の１例がこの図４の形状であり、便座の上面に対して滑らかな形状であれば全て本実施形態の変形例である。
【００３３】
＜他の実施形態＞
図５は、尿はね防止装置１の変形例の説明図である。
【００３４】
図５のように、界面活性剤を別のタンクにすることも可能である。
また、第２の液体１０３中に界面活性剤を入れつつ、例えば、除菌・芳香・洗剤の液体を３つ目のタンクに入れることも可能である。
もちろん、第１の液体１０２又は第２の液体１０３に、除菌・芳香・洗剤成分を入れることも可能である。
【００３５】
図６は、第１の液体１０２と第２の液体１０３との混ぜ方の他の実施形態である。
【００３６】
第１の実施形態の様に便器Ｂ内で第１の液体１０２と第２の液体１０３を混ぜず、図６のように便器Ｂに放出する前に混ぜる方法もあり得る。
【００３７】
図７は、重曹、クエン酸の割合の実験結果である。
【００３８】
発泡を行わせるためには、発明者は、重曹とクエン酸が最適であると考えている。
そのうち、特許文献１では、この２つを利用することを開示しているが、適切な分量については、記載がないため、分量を調節して実験を行った。
そして、泡の発生速度・量を、目測によって計測した。
なお、当該実験に用いた、発泡剤１０１の量は、重曹とクエン酸を合わせて２０ｇとした。
なお、図７の実験及び図８の実験において、パーセント表記は重量パーセントである。
【００３９】
この実験からわかることは、重量パーセントで重曹が３０％〜５５％で、残りをクエン酸とした場合に、適切な泡が発生していることが分かる。
さらに、より好適には、重量パーセントで重曹が４０％〜４５％で、残りをクエン酸とした場合に、最適な泡が発生していることが分かる。
【００４０】
図８は、界面活性剤の割合の実験結果である。
【００４１】
次に、この泡をさらに維持するために、添加することが適切である界面活性剤の分量について実験した。
この界面活性剤についても、特許文献１には記載があるが、適切な分量及び界面活性剤の種類について記載がない。
界面活性剤の分量の適切な分量について、実験を行った。その結果が、図８である。
重曹とクエン酸の量は、図７の実験の結果によって、最適であると判明した、重量パーセントで重曹が４０％〜４５％で残りをクエン酸とした場合の範囲内である、重曹：３に対してクエン酸：４の割合にしている（重曹：約４２．８５％、クエン酸：約５７．１５％）。
なお、現在、発明者は、重曹：３に対してクエン酸：４の割合が最適値であると考えている。
さらに、この割合にした発泡成分に界面活性剤を加えて、両者を加えた全体で２０ｇにして実験を行っている。
使用した界面活性剤は、アニオン系界面活性剤を用いた。
なお、泡の持続時間については、目視によって確認した。
【００４２】
図８からは、界面活性剤は、重曹＋クエン酸の重量を７５％〜９５％とした場合に、残りを界面活性剤にしたときに、実用可能な程度に泡が持続されることが分かった。
さらに最適値は、重曹＋クエン酸の重量を８０％〜９０％とした場合に、残りを界面活性剤にしたときであることが分かった。
なお、最終的に、発明者は、重曹：クエン酸：界面活性剤＝３：４：１が最適な調合割合であると考え、最終製品はこの割合で製造することにしている。
【００４３】
この結果を受けて、重曹：クエン酸：界面活性剤＝３：４：１とし、界面活性剤をアニオン以外の両性界面活性剤及び非イオン界面活性剤にして、実験を行った。
いずれでも、同じような効果があったことが分かった（ほぼ、図８と同じ結果であったため、省略する）。
なお、本発明の尿はね防止装置１では、液体で使用することから、これらの割合になるように水等に溶かすことになる。
【００４４】
＜さらなる他の実施形態＞
さらに、第１の液体１０２と第２の液体１０３は、重曹とクエン酸（さらに、界面活性剤）に限定されない。つまり、便器内の水の上に形成される泡成分を作れるものであればどのようなものであってもよい。
さらに、場合によっては、第１の液体１０２と第２の液体１０３のように、２種類の液体を化学班等々させる必要もなく、単一の液体のみを提供して、水又は空気、または圧縮状態から発泡させる（整髪料のムースのような原理）ことによって泡を作ることも可能である。
また、さらに、例えば油、界面活性剤、その他の液体を便器内の水の表面側に張らせ、便器内の水の覆うことによって、尿はねを防止することも可能である。
【００４５】
＜実施形態の構成及び効果＞
本発明の第１の観点における尿はね防止装置１は、第１の液体１０２と第１の液体１０２と反応して泡を生成することが可能な第２の液体１０３と、を、便器Ｂ内に供給して便器内の水を覆うように泡を生成する。
このような構成を有することから、使い勝手の良い尿はね防止装置１を提供することができる。
【００４６】
好適には、第１の液体１０２は少なくとも重曹を含み、第２の液体１０３は少なくともクエン酸を含んでいる。
このような構成を有することから、泡を効率的に生成することができる。
【００４７】
第２の液体１０３は、界面活性剤も含んでいる。
このような構成を有することから、発生した泡を長時間維持することが可能となっている。
【００４８】
第１の液体１０２が封入された第１液体容器２と、第２の液体１０３が封入された第２液体容器３は、尿はね防止装置１に対して取り外して交換可能である。
このような構成があるから、ユーザは容易に第１の液体１０２及び第２の液体１０３を交換可能となっている。
【００４９】
第１の液体１０２と前記第２の液体１０３の流出・停止は同時に制御されている。
このよう構成を有することから、簡単な構造で、尿はね防止装置１を作ることができる。
また、この構成は、第１の液体１０２と前記第２の液体１０３の量をそれぞれ、適切な量で最初から用意する必要性が有る。
【００５０】
第１の液体１０２又は第２の液体１０３のいずれかを少なくとも含んだ液を輸送するための管路からの液体を便器Ｂ内の所定の位置に向かって放出するための固定具（液体搬送用固定具２５）を有する。
このような構成を有することから、便器Ｂの所定の位置に第１の液体１０２又は第２の液体１０３を確実に誘導することができる。
【００５１】
固定具（液体搬送用固定具２５）は、便器Ｂのふちの上面に固定され、前記固定具の上面の形状は、便器のふちの上面から滑らかに隆起し滑らかに降下する形状である。
このような構成を有することから、液体搬送用固定具２５を便器Ｂの上面に取り付けても、衛生状態を容易に維持することが可能となる。
【００５２】
便器への液体搬送用固定具２５は、便器の上面に固定され、液体を便器Ｂ内の所定の位置に向かって放出するための固定具であって、固定具は、上面の形状が便器Ｂのふちの上面から滑らかに隆起し滑らかに降下する形状を有している。
このような構成を有することから、便器Ｂに固定具を固定しながらも、衛生状態を良好に維持することが可能となる。
【００５３】
尿はね防止装置１は、少なくとも、液体を提供することによって、便器内の水の表面側を覆う泡を形成することによって尿はねを防止する。
このような構成を有することから、使い勝手の良い尿はね防止装置１を提供することができる。
【００５４】
本発明の、構造、システム、プログラム、材料、各部材の連結、科学物質、などは、本発明の要旨を変更しない範囲で、様々に変更可能である。
材質も、金属、プラスチック、ＦＲＰ、木材、コンクリート等を自由に選択することが可能である。
例えば、２つ以上の部材を１つにすることも可能であるし、逆に、１つの部材を２つ以上の別の部材から構成して接続することも可能である。
また、上記実施形態は、あくまでも、現在のところの最良の形態の１つにすぎない。
また、制御などは、より上位の制御部分によって制御されても良いし、より末端の制御部分によって制御されても良い。
また、制御の順序なども、所定の効果を有するのであれば、適宜変更可能である。
【００５５】
＜定義等＞
本発明における第１の液体の一例が、重曹の解けた水である。ただし、重曹以外の成分が含まれるものであってもよい。
本発明の第２の液体の一例が、クエン酸の溶けた水である。ただし、重曹以外の成分が含まれていてもよい。この重曹以外の成分の一例としては、界面活性剤等である。
【符号の説明】
【００５６】
１      ：防止装置
２      ：第１液体容器
３      ：第２液体容器
４      ：パッケージ
１１    ：第１容器アタッチメント
１２    ：第２容器アタッチメント
１３    ：容器側第１液体搬送管
１４    ：容器側第２液体搬送管
１５    ：弁
１６    ：制御部
１７    ：無線子機
１８    ：弁制御部
１９    ：装置本体
２３    ：固定具側第１液体搬送管
２４    ：固定具側第２液体搬送管
２５    ：液体搬送用固定具（固定具）
１０１  ：発泡剤
１０２  ：第１の液体
１０３  ：第２の液体
Ｂ      ：便器
Ｄ      ：ドア
ｍ      ：ユーザ
【図１】
2019138450.tif 000003
【図２】
2019138450.tif 000004
【図３】
2019138450.tif 000005
【図４】
2019138450.tif 000006
【図５】
2019138450.tif 000007
【図６】
2019138450.tif 000008
【図７】
2019138450.tif 000009
【図８】
2019138450.tif 000010
【国際調査報告】
2019138450.tif 000011
2019138450.tif 000012
2019138450.tif 000013
2019138450.tif 000014
2019138450.tif 000015
2019138450.tif 000016
2019138450.tif 000017
2019138450.tif 000018
2019138450.tif 000019
2019138450.tif 000020